(57)【特許請求の範囲】
【請求項１】
シート状材料の所定部分を接合することにより前記シート状材料を筒状の形状にする第２接合部と、
筒状に形成された前記シート状材料を、筒状部の軸方向に所定の間隔をおいて仕切ることにより、電子部品を収納する袋状の収納部が、複数個連続して配設された構造とするための第１接合部であって、前記収納部の前記連続方向に直交する方向の一方端から他方端に至るように、個々の収納部の前記連続方向の両端側に設けられた第１接合部と
を有する電子部品包装連であって、
前記第２接合部は、筒状とされるシート状材料の周方向両端部を、内周面側が互いに対向するように接合した接合部であり、かつ、筒状に形成された前記シート状材料の、当該第２接合部以外の部分からなる筒状部から外部に突出した状態で、前記連続方向に略平行に形成され、その基端部が前記第１接合部および前記収納部のそれぞれの、前記連続方向に直交する方向の略中央部と接続し、
前記第１接合部は、その一部を収納部側に向かって突出させた絞り部形成部により、前記連続方向に略直交する方向に前記収納部を切断した場合に形成される開口が、他の領域を切断した場合に形成される開口より小さくなるようにするための絞り部を備えており、
前記第１接合部および前記第２接合部には、袋状の各収納部を切り離すことを容易にするための切り離し予備加工を施した切り離し処理部が形成されているとともに、前記収納部から電子部品を取り出す際の前記収納部の開封を容易にするための開封予備加工を施した開封処理部が配設され、
前記切り離し処理部を形成するための前記切り離し予備加工が、前記第１接合部および前記第２接合部のそれぞれの、前記連続方向に略直交する方向の一端側から、他端側に至るように施されており、
前記開封処理部を形成するための前記開封予備加工が、前記第１接合部の、前記連続方向に略直交する方向のいずれか一方の端部から、前記連続方向に直交する方向の略中央部において前記第２接合部と接続する位置を越える位置までと、前記第１接合部と接続する前記第２接合部の基端部から前記基端部とは逆側の端部にいたる途中の位置まで施されており、前記第１接合部の前記連続方向に略直交する方向の、前記第２接合部と接続する位置を越える位置から、前記いずれか一方の端部とは逆側の端部にいたる領域、および前記第２接合部の前記基端部から前記基端部とは逆側の端部にいたる途中の位置から、前記基端部とは逆側の端部にいたる領域には、前記開封予備加工が施されていない領域が残されているとともに、前記開封処理部が、前記第１接合部および前記第２接合部を、前記連続方向において、前記収納部を切断して開封した場合に前記開口が形成される位置に対応する位置に形成されており、
前記開封処理部では、前記第１接合部と、前記第２接合部の、一端側から他端側に至る領域に、開封予備加工が施されていない領域を残す一方、前記切り離し処理部では、前記第１接合部と、第２接合部の、一端側から他端側に至る全領域に切り離し予備加工を施すことにより、前記開封処理部が開封されるよりも先に、前記切り離し処理部において前記各収納部が切り離されるように構成されていること
を特徴とする電子部品包装連。
【請求項２】
前記切り離し処理部の前記切り離し予備加工、および前記開封処理部の前記開封予備加工が、
(ａ)切り離し予定ラインあるいは開封予定ラインに沿った切り込みの形成、
(ｂ)切り離し予定ラインあるいは開封予定ラインに沿った貫通孔の形成、
(ｃ)切り離し予定ラインあるいは開封予定ラインに沿って所定の型押し形状を付与する型押し加工
の少なくとも１つの方法により行われていることを特徴とする請求項１記載の電子部品包装連。
【発明の詳細な説明】
【技術分野】
【０００１】
本願発明は、袋状の容器に収納された電子部品に関し、詳しくは、前記シート状材料の所定部分を重ね合わせて接合した接合部により仕切られた、電子部品を収納する袋状の収納部が、複数個連続して配設された構造を有する電子部品包装連に関する。
【背景技術】
【０００２】
チップ型電子部品の収納形態としては、
(ａ)樹脂や紙のテープに等間隔に収納穴を形成し、これにチップ型電子部品を収納した後、カバーテープで封止する方式、
(ｂ)中空のケースの中にチップ型電子部品をまとめて収容して順次取り出し口から整列した状態で取り出す方式
などの収納形態が知られている。
【０００３】
しかしながら、チップ型電子部品のサイズが小さくなるにともない、上記従来の収納形態では、以下に説明するような問題が生じるようになっている。
すなわち、前記(ａ)の方式の場合、使用できるテープ幅などが決まっているため、チップ型電子部品の体積に比べてテープの体積が大きく、資源の浪費となるばかりでなく、テープを巻回するためのリールなど、チップ型電子部品の使用後に廃棄しなければならない部材が多くなるという問題点がある。
さらに、チップ型電子部品を収納する際に、位置決めを行ったり、方向性を揃えたりする必要があるため、工程が複雑になり、生産効率が悪いという問題点がある。
【０００４】
また、前記(ｂ)の方式の場合、ケースを繰り返し使用することが可能で、廃棄する必要はないが、その組み付け精度の限界から、長さ０．４ｍｍ、幅０．２ｍｍ、高さ０．２ｍｍというような微小なチップ型電子部品には適用することが困難であるという問題点がある。
【０００５】
また、これらの従来技術の問題点を解決する包装容器として、袋状の容器の中に電子部品を収容する方式の収納容器が提案されている（特許文献１参照）。この収納容器は、実装機を用いて実装される多数個の電子部品を収納する袋状の収納容器であって、図９に示すように、多数個の電子部品５１が収納された収納領域５２と、収納領域５２より幅が絞られ、かつ、排出口５３となる終端部に近づくにつれて幅が狭くなるようにテーパ（案内角）が付けられたリード部５４とを備えている。
【０００６】
そして、実装機の電子部品投入口（図示せず）に電子部品５１を供給する際には、切り込み部５５からミシン目５６に沿って、排出口５３を開封（開口）することにより、収納領域５２から、リード部５４および排出口５３を経て、実装機の電子部品投入口から実装機に電子部品が供給されるように構成されている。
【０００７】
すなわち、この収納容器は、電子部品を取り出してフィーダーに供給する場合に、切り口が排出口５３を通過するように袋状の容器を切り裂き、それにより形成された排出口５３から、収納容器の内容物（電子部品）がフィーダーに供給されるように構成されているため、収容時に電子部品の方向性が問題になることがなく、小型の電子部品にも対応することが可能で、しかも廃棄される部材が袋状の容器だけであるという利点がある。
【０００８】
しかしながら、この特許文献１の包装容器は、通常、小型の電子部品を収納するために用いられるものであり、袋状の容器自体の寸法も小さいため、１個ずつ生産したり、個別に取り扱ったりすると、生産性や取り扱い性が低くなる。
【０００９】
そこで、製造コストを低減し、取り扱い性を向上させるために、電子部品を収納する収納領域が、複数個連続して配設された構造を有する電子部品包装連とすることが望ましい。
【００１０】
ところで、上述のような電子部品包装連とした場合、被包装物である電子部品を取り出して使用する際に、連続して形成されている収納領域（収納容器）を個々に切り離した後、開封して使用することが必要になる。そして、そのためには、各包装容器を切り離しやすくするための切り離し用の加工処理と、個々の包装容器を開封するための開封用の加工処理を施しておくことが望ましい。
【００１１】
しかしながら、各包装容器を切り離しやすくするための切り離し用の加工処理と、個々の包装容器を開封するための開封用の加工処理を、例えばミシン目をつけたり、ノッチを設けたりすることにより行った場合、各包装容器を切り離すための切り離し時に、必ずしも切り離し用の加工処理を行った位置で切り離されるとは限らず、誤って開封用の加工処理を行った位置で切り開かれ、被処理物である電子部品が逸散してしまう場合があり、信頼性が低いという問題点がある。
【００１２】
一方、切り離し用の加工処理や、開封用の加工処理を施さずに、使用時にカッターや鋏などの治具を用いて切り離しや開封を行うようにすることも考えられるが、切り離しや、開封のたびに治具を用いることが必要で、生産性が低く、また治具により作業者が負傷するおそれもあり、好ましくないという問題点がある。
【特許文献１】特開２０００−４３９７７号公報
【発明の開示】
【発明が解決しようとする課題】
【００１３】
本願発明は、上記課題を解決するものであり、治具を必要とせずに、収納部を誤って開封するようなことがなく、個々の収納部を切り離すことが可能で、かつ、その後に個々の収納部を容易かつ確実に開封して、被包装物である電子部品を取り出すことが可能な電子部品包装連を提供することを目的とする。
【課題を解決するための手段】
【００１４】
上記課題を解決するために、本願発明（請求項１）の電子部品包装連は、
シート状材料の所定部分を接合することにより前記シート状材料を筒状の形状にする第２接合部と、
筒状に形成された前記シート状材料を、筒状部の軸方向に所定の間隔をおいて仕切ることにより、電子部品を収納する袋状の収納部が、複数個連続して配設された構造とするための第１接合部であって、前記収納部の前記連続方向に直交する方向の一方端から他方端に至るように、個々の収納部の前記連続方向の両端側に設けられた第１接合部と
を有する電子部品包装連であって、
前記第２接合部は、筒状とされるシート状材料の周方向両端部を、内周面側が互いに対向するように接合した接合部であり、かつ、筒状に形成された前記シート状材料の、当該第２接合部以外の部分からなる筒状部から外部に突出した状態で、前記連続方向に略平行に形成され、その基端部が前記第１接合部および前記収納部のそれぞれの、前記連続方向に直交する方向の略中央部と接続し、
前記第１接合部は、その一部を収納部側に向かって突出させた絞り部形成部により、前記連続方向に略直交する方向に前記収納部を切断した場合に形成される開口が、他の領域を切断した場合に形成される開口より小さくなるようにするための絞り部を備えており、
前記第１接合部および前記第２接合部には、袋状の各収納部を切り離すことを容易にするための切り離し予備加工を施した切り離し処理部が形成されているとともに、前記収納部から電子部品を取り出す際の前記収納部の開封を容易にするための開封予備加工を施した開封処理部が配設され、
前記切り離し処理部を形成するための前記切り離し予備加工が、前記第１接合部および前記第２接合部のそれぞれの、前記連続方向に略直交する方向の一端側から、他端側に至るように施されており、
前記開封処理部を形成するための前記開封予備加工が、前記第１接合部の、前記連続方向に略直交する方向のいずれか一方の端部から、前記連続方向に直交する方向の略中央部において前記第２接合部と接続する位置を越える位置までと、前記第１接合部と接続する前記第２接合部の基端部から前記基端部とは逆側の端部にいたる途中の位置まで施されており、前記第１接合部の前記連続方向に略直交する方向の、前記第２接合部と接続する位置を越える位置から、前記いずれか一方の端部とは逆側の端部にいたる領域、および前記第２接合部の前記基端部から前記基端部とは逆側の端部にいたる途中の位置から、前記基端部とは逆側の端部にいたる領域には、前記開封予備加工が施されていない領域が残されているとともに、前記開封処理部が、前記第１接合部および前記第２接合部を、前記連続方向において、前記収納部を切断して開封した場合に前記開口が形成される位置に対応する位置に形成されており、
前記開封処理部では、前記第１接合部と、前記第２接合部の、一端側から他端側に至る領域に、開封予備加工が施されていない領域を残す一方、前記切り離し処理部では、前記第１接合部と、第２接合部の、一端側から他端側に至る全領域に切り離し予備加工を施すことにより、前記開封処理部が開封されるよりも先に、前記切り離し処理部において前記各収納部が切り離されるように構成されていること
を特徴としている。
【００１５】
また、請求項２の電子部品包装連は、請求項１の発明の構成において、
前記切り離し処理部の前記切り離し予備加工、および前記開封処理部の前記開封予備加工が、
(ａ)切り離し予定ラインあるいは開封予定ラインに沿った切り込みの形成、
(ｂ)切り離し予定ラインあるいは開封予定ラインに沿った貫通孔の形成、
(ｃ)切り離し予定ラインあるいは開封予定ラインに沿って所定の型押し形状を付与する型押し加工
の少なくとも１つの方法により行われていることを特徴としている。
【発明の効果】
【００１６】
本願発明（請求項１）の電子部品包装連は、上述のように構成されているので、治具を必要とせずに、収納部を誤って開封することなく、個々の収納部を切り離すことが可能で、かつ、その後に個々の収納部を容易かつ確実に開封して電子部品を取り出すことができる。
【００１７】
また、接合部が、収納部の連続方向に直交する方向の一方端から他方端に至るように形成された第１接合部と、前記連続方向に略平行になるように形成された第２接合部とを備えた構成とされているので、袋状の収納部を備えた電子部品包装連を効率よく製造することが可能になる。
【００１８】
また、開封処理部から収納部を開封した場合に、絞り部に開口が形成されるようにしているので、開口を収納部の領域を切断した場合に形成される開口より小さくすることが可能になり、被収納物である電子部品を、フィーダーなどに容易に供給することが可能な電子部品包装連を得ることが可能になる。
【００１９】
また、請求項２の電子部品包装連のように、切り離し処理部の切り離し予備加工、および開封処理部の開封予備加工を、(ａ)切り込みの形成、(ｂ)貫通孔の形成、(ｃ)所定の型押し形状を付与する型押し加工の少なくとも１つの方法により行うことにより、切り離し処理部を切り離すために要する力が、開封処理部を開封するために必要な力より小さくなるような開封予備加工と切り離し予備加工とを確実に行うことが可能になる。
【００２０】
なお、切り込みの形成とは、切り離し予定ラインあるいは開封予定ラインに沿って、例えば、薄く、尖った刃物状の治具の先端を挿入することにより、シート状材料を貫通し、または貫通しないように形成される切り目などを形成することを意味する概念であり、シート状材料を貫通していてもよく、また、貫通していなくてもよい。切り込みの形状を調節したり、形成ピッチを密にしたり粗にしたりすることにより、切り離し処理部の切り離しや開封処理部の開封のために必要な力を制御することができる。
【００２１】
また、貫通孔の形成とは、切り離し予定ラインあるいは開封予定ラインに沿って、円形や楕円形、正方形や長方形、三角形などに打ち抜かれた孔などを形成することを意味する概念であり、貫通穴の形状や大きさを調整したり、形成ピッチを密にしたり粗にしたりすることにより、切り離し処理部の切り離しや開封処理部の開封のために必要な力を制御することができる。なお、貫通孔は、レーザ加工やパンチを用いた打ち抜き加工などの周知の方法により容易に形成することが可能である。
【００２２】
なお、ミシン目を付ける加工を例にとって本願発明を説明すると、ミシン目の形成ピッチを粗くすることにより開封しにくくし、ミシン目の形成ピッチを細かくすることで開封しやすくすることができる。また、ミシン目の仕様、例えば、ミシン目の長さ、ミシン目の深さ、ミシン目形状などを調整することによっても容易に、切り離し処理部の切り離しや開封処理部の開封のために必要な力を制御することができる。ちなみに、ミシン目を付ける加工は、切り込みの形成および貫通穴の形成のいずれにも当てはまるものであるが、いずれにしても、本願発明の範囲内に含まれるものであることは言うまでもない。
【００２３】
また、所定の型押し形状を付与する型押しとは、例えば、プレス加工により、切り離しや開封の予定ラインに断面Ｖ字状の溝を形成したり、不貫通の穴を切り離しや開封の予定ラインに連続的に形成したりすることを意味する概念である。
この型押しの場合、形状や深さを調整することにより、切り離し処理部の切り離しおよび開封処理部を開封するために必要な力を制御することができる。なお、型押しは、熱圧着工程において、熱圧着と同時に実施することができる。
【００２４】
さらに、切り離しや開封の予定ラインに沿って形成される、切り込みや貫通孔の端部のうちの少なくとも一方に切り裂きのきっかけとなる切り込みを形成することによっても、電子部品包装連を構成するシート状材料を切り裂くのに必要な力を小さくすることができる。
【発明を実施するための最良の形態】
【００２５】
以下に本願発明の実施例を示して、本願発明の特徴とするところをさらに詳しく説明する。
【実施例１】
【００２６】
図１(ａ)は、本願発明が関連する発明の一実施例にかかる電子部品包装連の要部を示す平面図、(ｂ)は側面図、(ｃ)は正面図、図２は要部を示す斜視図、図３は個々の収納部を切り離した後、開封処理部で収納部を開封した状態を模式的に示す図である。  
【００２７】
この実施例１の電子部品包装連は、図１(ａ)，(ｂ)，(ｃ)および図２に示すように、シート状材料２０の所定部分を重ね合わせて接合した接合部１０により仕切られた、電子部品（被包装物）２１を収納する袋状の収納部３が、複数個連続して配設された構造を有している。
【００２８】
そして、接合部１０には、各収納部３を切り離すことを容易にするための切り離し予備加工が施された切り離し処理部１１と、収納部３から電子部品２１を取り出す際の収納部３の開封を容易にするための開封予備加工が施された開封処理部１２とが配設されており、切り離し処理部１１を切り離すために要する力が、開封処理部１２を開封するために必要な力より小さくなるように、開封予備加工と、切り離し予備加工とが施されている。
【００２９】
さらに詳しく説明すると、この電子部品包装連は、接合部１０として、所定の一方向に連続する複数個の袋状の収納部３の境界部に、収納部３の前記連続方向（図１(ａ)，(ｃ)に符号Ａで示す方向）に直交する方向の一方端から他方端に至るように形成された第１接合部１と、連続方向に略平行になるように形成された第２接合部２とを備えている。
すなわち、第１接合部１は、個々の収納部３の、連続方向の両端側に配設されている。そして、この第１接合部１には切り離し処理部１１が設けられている。また、第１接合部１には、収納部３側に向かって突出するように形成された、以下に説明する絞り部５を形成するための絞り部形成部１ａ（図１(ａ)、図２参照）を備えている。
【００３０】
また、第２接合部２は、電子部品包装連を構成するシート状材料２０の、連続方向に直交する方向の端部２０ａどうしを接合することにより形成され、かつ、その基端部２ａが第１接合部１および収納部３の、連続方向に直交する方向の略中央部と接続しており、その他の領域が、電子部品包装連を構成するシート状材料２０と接合しないように構成されている。
【００３１】
そして、この第２接合部２の、以下に説明する絞り部５に隣接する位置には、収納部を開封するための開封処理部１２が配設され、この開封処理部１２から収納部３を開封することができるように構成されている。
【００３２】
なお、この実施例１では、第１接合部１および第２接合部２は、重ねられた２枚のシート状材料２０を熱圧着することにより形成されており、第１接合部１および第２接合部２は同じ厚みを有している。
【００３３】
また、収納部３の、前記連続方向の一方端には、連続方向（矢印Ａの方向）に略直交する方向に収納部３を切断した場合に形成される開口が、他の領域を切断した場合に形成される開口より小さくなるような絞り部５が設けられており、開封処理部１２から収納部３を開封した場合に、絞り部５に開口６が形成されるように構成されている（図３）。なお、絞り部５は、上述のように、第１接合部１の一部を収納部側に向かって突出させるようにして形成された絞り部形成部１ａによって形成されている。
【００３４】
そして、この実施例１では、切り離し処理部１１の切り離し予備加工、および開封処理部１２の開封予備加工として、ミシン目１１ａ，１２ａを形成する加工が施されており、切り離し処理部１１では、配設ピッチが密になるようにミシン目（１１ａ）が形成されており、開封処理部１２では、切り離し処理部１１のミシン目（１１ａ）の配設ピッチよりも、配設ピッチが粗になるようにミシン目（１２ａ）が形成されており、切り離し処理部１１を切り離すために要する力が、開封処理部１２を開封するために必要な力より小さくなるように構成されている。
【００３５】
また、ミシン目に関しては、その形成ピッチによる方法に限らず、例えば、ミシン目の長さ、ミシン目の深さ、ミシン目形状などを調整することによっても容易に、切り離し処理部の切り離しや開封処理部の開封のために必要な力を制御することができる。
【００３６】
次に、この実施例１の電子部品包装連の製造方法について、図１および図２を参照しつつ、以下に簡単に説明する。
(１)まず、シート状材料（この実施例では樹脂シート）２０を筒状に成形する。
(２)次に、長手方向に沿って樹脂シート２０の両端を、熱圧着手段であるシールバーにより挟み込み、樹脂シート２０の端部２０ａを熱圧着することにより、第２接合部２を形成する。
(３)それから、樹脂シート２０の長手方向と直交するシールバー（熱圧着手段）により樹脂シート２０を挟み込み、熱圧着することにより、一対の第１接合部１のうちの一方を形成する。なお、この(２)および(３)の工程の順序に制約はなく、(２)と(３)の工程を同時に実施してもよい。
(４)次に、袋状となった収納部３の内側に、電子部品２１を所定量供給して収納部３内に電子部品２１を収納する。
(５)その後、樹脂シート２０の長手方向と直交するシールバーにより樹脂シート２０を挟み込み、熱圧着してシールすることにより、一対の第１接合部１のうちの他方側の第１接合部１を形成するとともに、収納部３内に電子部品２１を封止する。
(６)それから、第１接合部１および第２接合部２の所定の位置に、切り離し処理部１１と開封処理部１２を形成する。
【００３７】
なお、切り離し処理部１１と開封処理部１２の形成は、切り離し処理部１１と開封処理部１２の形成位置における樹脂シート２０の熱圧着工程が終了した後であれば、どのタイミングで行ってもよい。
また、熱圧着後、すぐに同一の熱圧着機構を用いて切り離し処理部１１と開封処理部１２を形成してもよく、また、別機構を用いて形成してもよい。
【００３８】
上述のように構成された電子部品包装連の場合、各収納部３がその境界部で分離されるように、例えば、手で持って隣接する収納部３どうしを引き離すように力を加えるだけで、カッターや鋏などの治具を必要とせずに、切り離し処理部１１で、各収納部３を引き離すことが可能になる。なお、このとき、切り離し処理部１１を切り離すために要する力が、開封処理部１２を開封するために必要な力より小さくなるように構成されているので、収納部３が開封されてしまうようなことなしに、確実に切り離し処理部１１で、各収納部３を引き離すことができる。
【００３９】
そして、その後に、図３に示すように、開封処理部１２から収納部３を開封することにより、絞り部５により絞られた開口６から、被収納物である電子部品２１を、フィーダーなどに容易に供給することが可能になる。
【００４０】
なお、この実施例１では、切り離し処理部１１の切り離し予備加工、および開封処理部１２の開封予備加工として、ミシン目１１ａ，１２ａを形成する加工を施すようにしたが、ミシン目に限らず、切り離し予定ラインあるいは開封予定ラインに沿った貫通孔の形成や、所定の型押し形状を付与する型押し加工などの方法を採用することによっても、切り離し処理部１１を切り離すために要する力が、開封処理部１２を開封するために必要な力より小さくなるような開封予備加工と切り離し予備加工を行うことが可能である。
【００４１】
なお、切り込みは、切り離し予定ラインあるいは開封予定ラインに沿って、例えば、薄く、尖った刃物状の治具の先端を挿入することにより、シート状材料を貫通し、または貫通しないような種々の態様で形成することができる。
【００４２】
また、貫通孔は、レーザ加工やパンチによる打ち抜き加工などの方法により、形成することが可能である。貫通孔の形状としては、例えば、円形や楕円形、正方形や長方形、三角形など種々の形状が例示される。この貫通孔を、切り離し予定ラインあるいは開封予定ラインに沿って貫通孔を形成し、その形成ピッチを密にしたり粗にしたりすることにより、切り離し処理部の切り離しや開封処理部の開封のために必要な力を制御することができる。
【００４３】
また、型押しとしては、例えば、プレス加工により、切り離しや開封の予定ラインに断面Ｖ字状の溝を形成したり、不貫通の穴を切り離しや開封の予定ラインに連続的に形成したりする場合などが例示される。例えば、型押し形状の深さや平面形状などを調整することにより、切り離し処理部の切り離しおよび開封処理部を開封するために必要な力を制御することができる。
なお、型押しは、シート状材料を接合するための熱圧着工程において、熱圧着と同時に実施することが可能である。
【００４４】
なお、切り離し処理部１１および開封処理部１２を形成する貫通孔や切り込みの形状の例を図４，図５，図６に示す。なお、図４，図５，図６は、いずれも平面図である。
【００４５】
図４(ａ)に示すように、平面形状が長方形の貫通孔３１を切り離し処理部や開封処理部などの予定ラインにそって形成する場合において、図４(ｂ)，(ｃ)，(ｄ)，(ｅ)に示すように、長方形の貫通孔３１の一部からスリット（切り込み）３２を延設することにより、切り離しやすさ、開封のしやすさを向上させることが可能になり、スリット３２のない図４(ａ)のような貫通孔を開封処理部に形成し、切り離し処理部に、図４(ｂ)，(ｃ)，(ｄ)，(ｅ)のように、スリット３２を備えた長方形の貫通孔３１を形成することにより、切り離し処理部を切り離すために要する力を、開封処理部を開封するために必要な力より小さくすることが可能になる。
【００４６】
また、図５(ａ)に示すように、直線状のスリット３３を切り離し処理部や開封処理部などの予定ラインに沿って形成する場合において、図５(ｂ)，(ｃ)，(ｄ)，(ｅ)に示すように、スリット３３の端部に、応力の集中を避けるような開口部３４を形成することにより、切り離しや開封に要する力を調整することが可能になる。
【００４７】
また、図６(ａ)に示すように、直線状のスリット３５を切り離し処理部や開封処理部などの予定ラインにそって形成する場合において、図６(ｂ)，(ｃ)に示すように、スリット３５の端部に、さらに２つに分岐するようにスリット３６を形成することにより、切り離しや開封に要する力を調整することが可能になる。
【００４８】
また、開封処理部に、例えば、微小孔を多数形成して、どの位置からでも開封することができるような構成とする（ただし、切り離し処理部を切り離すのに必要な力よりも開封に大きな力を要するようにする）ことも可能である。
【００４９】
また、切り離し処理部と開封処理部における、シート状材料の重なり厚みを異ならせ、切り離し処理部のシート状材料の重なり厚みを、開封処理部のシート状材料の重なり厚みよりも薄くすることにより、切り離し処理部と開封処理部に同じ条件で切り離しおよび開封の処理を施した場合にも、切り離し処理部を切り離すために要する力が、開封処理部を開封するために必要な力より小さくなるような開封予備加工と切り離し予備加工とを確実に行うことができる。
また、切り離し処理部と開封処理部の硬度を制御することによっても、切り離しおよび開封に要する力の大きさを調整することができる。
【実施例２】
【００５０】
図７(ａ)は、本願発明の一実施例にかかる電子部品包装連の要部を示す平面図、(ｂ)は側面図、図８は、個々の収納部を切り離した後、開封処理部で収納部を開封した状態を模式的に示す図である。
【００５１】
この実施例２の電子部品包装連は、図７(ａ)，(ｂ)，図８に示すように、第１接合部１が、収納部３の、連続方向（図７(ａ)に矢印Ａで示す方向）の両端側に配設されており、かつ、一方の第１接合部１には、絞り部５を形成するための絞り部形成部１ａが、収納部３側に向かって突出するように形成されている。
【００５２】
また、第２接合部２は、電子部品包装連を構成するシート状材料２０の、前記連続方向に直交する方向の端部どうしを接合することにより形成され、かつ、その基端部２ａが第１接合部１および収納部３の、連続方向に直交する方向の略中央部と接続し、その他の領域が、電子部品包装連を構成するシート状材料と接合しないように構成されている。
【００５３】
また、各収納部３をその境界部で切り離すための切り離し処理部１１が、第１接合部１および第２接合部２に設けられており、開封処理部１２が、第１接合部の、絞り部５に隣接する位置に配設されており、各収納部３を切り離し処理部１１において、その境界部で切り離した後、開封処理部１２から収納部３を開封することにより、絞り部５以外の領域で収納部３を開封した場合に形成される開口よりも小さい開口が形成されるように構成されている。
【００５４】
なお、この実施例２の電子部品包装連においては、開封処理時の開封の容易さを考慮して、開封処理部１２が、第１接合部１のみではなく、第２接合部２の一部（基端部２ａ）にも形成されている。
【００５５】
そして、切り離し処理部１１を切り離すために要する力が、開封処理部１２を開封するために必要な力より小さくなるように、切り離し予備加工と、開封予備加工とが施されている。なお、この実施例２でも、切り離し予備加工と、開封予備加工とは、ミシン目を形成する方法により施されており、切り離し処理部１１のほうが、開封処理部１２に比べて、ミシン目の配設ピッチが小さくなるようにされている。
【００５６】
その他の構成は、上記実施例１の場合と同様であることから、重複を避けるためここでは説明を省略する。
なお、図７(ａ)，(ｂ)、図８において、図１〜３と同一符号を付した部分は同一または相当する部分を示している。
【００５７】
この実施例２の電子部品包装連においても、各収納部３がその境界部で分離されるように、例えば、手で持って隣接する収納部３どうしを引き離すように力を加えるだけで、カッターや鋏などの治具を必要とせずに、切り離し処理部１１で、各収納部３を引き離すことが可能になる。このとき、切り離し処理部１１を切り離すために要する力が、開封処理部１２を開封するために必要な力より小さくなるように構成されているので、収納部３が開封されてしまうことなく、確実に切り離し処理部１１で、各収納部３を引き離すことができる。そして、その後に、図８に示すように、開封処理部１２から収納部３を開封することにより、絞り部５により絞られた開口６から、被収納物である電子部品２１を、フィーダーなどに供給することができる。
【００５８】
また、本発明はさらにその他の点においても上記実施形態に限定されるものではなく、収納される電子部品の種類、収納部の具体的な形状、電子部品包装連を構成するシート状材料の種類、第１接合部および第２接合部の形成態様や配設位置、切り離し処理部および開封処理部の配設位置などに関し、発明の範囲内において、種々の応用、変形を加えることが可能である。
【産業上の利用可能性】
【００５９】
上述のように、本願発明の電子部品包装連は、治具を必要とせずに、誤って、個々の収納部を開封してしまうことなく、容易かつ確実に切り離すことができるとともに、その後に個々の包装容器を、その開封部において容易かつ確実に開封して、被包装物である電子部品を取り出すことができる。
したがって、本願発明は、フィーダーなどを用いて実装されるような小型のチップ型の電子部品やその包装技術に関する分野などに広く利用することが可能である。
【図面の簡単な説明】
【００６０】
【図１】(ａ)は本願発明が関連する発明の一実施例（実施例１）にかかる電子部品包装連の要部を示す平面図、(ｂ)は側面図、(ｃ)は正面図である。
【図２】実施例１にかかる電子部品包装連の要部を示す斜視図である。
【図３】実施例１にかかる電子部品包装連を構成する個々の収納部を切り離した後、開封処理部で収納部を開封した状態を模式的に示す図である。
【図４】(ａ)，(ｂ)，(ｃ)，(ｄ)，(ｅ)は、切り離し処理部および開封処理部を形成する貫通孔の形状の例を示す図である。
【図５】(ａ)，(ｂ)，(ｃ)，(ｄ)，(ｅ)は、切り離し処理部および開封処理部を形成する切り込みの形状の例を示す図である。
【図６】(ａ)，(ｂ)，(ｃ)は、切り離し処理部および開封処理部を形成する切り込みの形状の例を示す図である。
【図７】(ａ)は本願発明の実施例（実施例２）にかかる電子部品包装連の要部を示す平面図、(ｂ)は側面図である。
【図８】本願発明の実施例２の電子部品包装連を構成する個々の収納部を切り離した後、開封処理部で収納部を開封した状態を模式的に示す図である。
【図９】従来の電子部品の包装容器を示す図である。
【符号の説明】
【００６１】
１          第１接合部
１ａ        絞り部形成部
２          第２接合部
２ａ        基端部
３          収納部
５          絞り部
６          開口
１０        接合部
１１        切り離し処理部
１１ａ      ミシン目
１２        開封処理部
１２ａ      ミシン目
２０        シート状材料（樹脂シート）
２０ａ      端部
２１        電子部品（被包装物）
３１        貫通孔
３２        スリット（切り込み）
３３        スリット
３４        開口部
３５        直線状のスリット
３６        スリット
Ａ          連続方向
【図１】
0004835258.tif 000002
【図２】
0004835258.tif 000003
【図３】
0004835258.tif 000004
【図４】
0004835258.tif 000005
【図５】
0004835258.tif 000006
【図６】
0004835258.tif 000007
【図７】
0004835258.tif 000008
【図８】
0004835258.tif 000009
【図９】
0004835258.tif 000010